(57)【要約】【課題】  外部表示装置を用いることなく、携帯型ゲーム機の画像を大きく表示する。【解決手段】  上記課題を解決するため、本発明は、画像投影装置を備えたことを特徴とする携帯型ゲーム機を提供する。この携帯型ゲーム機は、撮影装置をさらに備えることができる。前記撮影装置は、前記投影装置が投影する画像を撮影できる位置に配置されていることが望ましい。この場合、前記撮影装置が撮影した前記投影装置の投影画像に基づいて、前記投影装置が投影する画像を調整する画像調整手段をさらに備えることができる。【選択図】  図３
2005168892.tif 000002
【特許請求の範囲】
【請求項１】
画像投影装置を備えたことを特徴とする携帯型ゲーム機。
【請求項２】
請求項１に記載の携帯型ゲーム機において、
撮影装置をさらに備えることを特徴とする携帯型ゲーム機。
【請求項３】
請求項２に記載の携帯型ゲーム機において、
前記撮影装置は、前記投影装置が投影する画像を撮影できる位置に配置されていることを特徴とする携帯型ゲーム機。
【請求項４】
請求項３に記載の携帯型ゲーム機において、
前記撮影装置が撮影した前記投影装置の投影画像に基づいて、前記投影装置が投影する画像を調整する画像調整手段をさらに備えることを特徴とする携帯型ゲーム機。
【請求項５】
請求項４に記載の携帯型ゲーム機において、
前記画像調整手段は、
前記投影装置が投影すべき画像と、前記撮影装置が撮影した前記投影装置の投影画像との差分に基づいて、前記投影装置が投影する画像を調整することを特徴とする携帯型ゲーム機。
【請求項６】
請求項１〜５のいずれか一項に記載の携帯型ゲーム機において、
内蔵表示装置をさらに備えることを特徴とする携帯型ゲーム機。
【請求項７】
請求項６に記載の携帯型ゲーム機において、
前記投影装置が投影する画像と、前記内蔵表示装置が表示する画像とが異なることを特徴とする携帯型ゲーム機。
【請求項８】
請求項７に記載の携帯型ゲーム機において、
前記投影装置が投影する画像と、前記内蔵表示装置が表示する画像とは、それぞれ携帯型ゲーム機が実行するゲームプログラムに基づいて制御されることを特徴とする携帯型ゲーム機。
【発明の詳細な説明】
【技術分野】
【０００１】
本発明は、可搬型の情報処理装置、特に、携帯型ゲーム機に関する。
【背景技術】
【０００２】
可搬型の情報処理装置として代表的な携帯型のゲーム機は、一般に、表示装置として液晶表示装置を内蔵しており、この表示画面にゲームの映像等を表示する。
【０００３】
携帯型のゲーム機は、携帯性が重視されるため小型化されているので、表示画面もサイズの小さいものが用いられている。また、表示装置は、操作ボタン等と同一の筐体に収められており、操作者が見やすい位置に配置されている。このため、内蔵された表示装置は多人数で画面を見るのには向いていない。
【発明の開示】
【発明が解決しようとする課題】
【０００４】
ところが、ゲーム等の内容によっては、多人数で画面を見ることで一層楽しめるものがあり、また、同一の画面を複数の人に見せたい場合もある。さらには、一人で画面を見る際にも、携帯型ゲーム機に内蔵されたサイズの小さい画面ではなく、大型の画面で見たい場合もある。
【０００５】
これらの要望に応じるために、テレビ受信装置等の外部表示装置に映像信号を出力するための端子を携帯型ゲーム機に備えさせることも考えられるが、映像を映し出すためには、テレビ受信装置等が必要となり、持ち運びに不便である。
【０００６】
本発明は、外部表示装置を用いることなく、携帯型ゲーム機の画像を大きく表示する技術を提供することを目的とする。
【課題を解決するための手段】
【０００７】
上記課題を解決するため、本発明によれば、
画像投影装置を備えたことを特徴とする携帯型ゲーム機が提供される。
【０００８】
この携帯型ゲーム機は、撮影装置をさらに備えることができる。
【０００９】
そして、前記撮影装置は、前記投影装置が投影する画像を撮影できる位置に配置されていることが望ましい。
【００１０】
この場合、前記撮影装置が撮影した前記投影装置の投影画像に基づいて、前記投影装置が投影する画像を調整する画像調整手段をさらに備えることができる。
【発明を実施するための最良の形態】
【００１１】
本発明の実施の形態について図面を参照して説明する。本実施の形態は、本発明を携帯型ゲーム機に適用した場合を例に説明する。もちろん、本発明は携帯型ゲーム機に限らず、情報処理装置一般に適用することができる。
【００１２】
図１は、本発明を適用した携帯型ゲーム機１０の正面外観を示す図である。本図に示すように、携帯型ゲーム機１０の正面部分は、カラー液晶表示装置１１、メインスイッチ１２、操作キー群１３が配置されている。また、携帯型ゲーム機１０は投影装置および撮影装置を内蔵しており、上部には、投影装置の投影口１５および撮影装置の入光口１６が設けられている。
【００１３】
投影装置は、例えば、液晶型のプロジェクタを用いることができ、撮影装置は動画撮影機能を備えたデジタルカメラを用いることができる。
【００１４】
図２は、携帯型ゲーム機１０の上部外観を示す図である。本図に示すように、携帯型ゲーム機１０の上部には、投影装置の投影口１５としての投影レンズ１５ａおよび撮影装置の入光口１６としての撮影レンズ１６ａが設けられている。
【００１５】
携帯型ゲーム機１０は、投影装置を備えていることにより、図３に示すように、壁３０等の面に映像を投影することができるようになっている。これにより、携帯型ゲーム機１０の画像を大きく表示することが可能となる。また、投影装置の投影口１５と撮影装置の入光口１６とが並んで配置されているため、投影装置により壁等に投影された画像を、撮影装置で撮影できるようになっている。
【００１６】
図４は、携帯型ゲーム機１０の機能構成の一例を示すブロック図である。本図に示すように、携帯型ゲーム機１０は、演算処理部１０１、画像入出力制御部１０２、記憶部１０３、電源部１０４、通信処理部１０５、メディアアクセス部１０６、操作入力部１０７、画像表示部１０８、画像投影部１０９、画像撮影部１１０、状態検知部１１１を備えている。また、図示していないが、携帯型ゲーム機１０は、音声出力をするための音声処理部、その他の機能部を有している。ただし、携帯型ゲーム機１０の機能構成はこれに限られない。
【００１７】
演算処理部１０１は、携帯型ゲーム機１０における各種処理を制御する。演算処理部１０１は、例えば、ＣＰＵ等の演算処理装置が記憶部１０３に格納されたプログラムを実行することにより構成される。
【００１８】
画像入出力制御部１０２は、画像表示部１０８および画像投影部１０９による画像の表示、画像撮影部１１０による画像の取り込みのための制御を行なう。画像入出力制御部１０２は、画像処理用の専用チップ等を用いて構成することができる。画像入出力制御部１０２の処理の具体例について後述する。
【００１９】
記憶部１０３は、プログラム、データ等を一時的、あるいは、不揮発的に格納する。記憶部１０３は、ＲＡＭ、ＲＯＭ等の記憶装置を用いて構成することができる。
【００２０】
電源部１０４は、メインスイッチ１２がオンの状態で携帯型ゲーム機１０の動作に必要な電源を供給する。電源部１０４は、充電式のバッテリ装置、外部電源アダプタ装置等で構成することができる。
【００２１】
通信処理部１０５は、インターネット等のコンピュータネットワークに接続したり、他の携帯型ゲーム機あるいは据え置き型ゲーム機等と接続して、通信を行なうための処理を行なう。なお、接続形態は、有線、無線のいずれであってもよい。
【００２２】
メディアアクセス部１０６は、光ディスク、メモリカートリッジ等の記録媒体にアクセスして、データの読み書きを行なう。
【００２３】
操作入力部１０７は、操作キー群１３を介しての操作者からの操作を受け付ける。
【００２４】
画像表示部１０８は、携帯型ゲーム機１０で実行しているゲーム等に関する画像を表示する。本実施形態において、画像表示部１０８はカラー液晶表示装置１１を用いて構成される。
【００２５】
画像投影部１０９は、携帯型ゲーム機１０で実行しているゲーム等に関する画像あるいはメディアアクセス部１０６が光ディスク等から読み込んだ映像等を外部に投影する。画像投影部１０９は、例えば、カラー液晶プロジェクタ等の投影装置を用いることができる。なお、画像表示部１０８が表示する画像と画像投影部１０９が投影する画像とは一致する必要はなく、演算処理部１０１が実行しているプログラムにしたがって、画像入出力制御部１０２がさまざまな態様でそれぞれの画像内容を制御する。
【００２６】
画像撮影部１１０は、例えば、動画撮影機能を備えたデジタルカメラ等の撮影装置を用いることができる。上述のように、画像撮影部１１０は、画像投影部１０９によって壁等に投影された画像を撮影することができる。
【００２７】
状態検知部１１１は、携帯型ゲーム機１０に関する種々の状態を検知する機能を有する。状態検知部１１１が検知する状態は、例えば、携帯型ゲーム機１０の傾き、移動速度、振動、周辺の明るさ等とすることができる。これらは、簡易ジャイロ、角速度センサ、照度センサ等を用いることで実現することができる。
【００２８】
次に、画像入出力制御部１０２による投影画像の制御について図５を参照して説明する。図５（ａ）は、画像投影部１０９により投影された画像Ａを、画像撮影部１１０で撮影している状態を示している。
【００２９】
このとき、画像入出力制御部１０２は、図５（ｂ）に示すように、画像投影部１０９で本来投影したい画像と画像撮影部１１０で撮影された画像Ａとの差分を算出する。
【００３０】
そして、画像撮影部１１０で撮影された画像が本来投影したい画像と一致するように、画像投影部１０９で投影される画像を調整する。すなわち、元画像を調整した画像を画像投影部１０９に投影させるようにする。
【００３１】
これにより、投影された画像を映す壁３０等が斜めに傾いていたり、凹凸がある場合にも、携帯型ゲーム機１０の操作者がなるべく元画像に近い映像を見ることができるようになる。
【００３２】
また、画像入出力制御部１０２は、画像投影部１０９で投影中に、状態検知部１１１が、操作者の手振れ等による携帯型ゲーム機１０の振動を検出すると、その振動を打ち消すような方向に画像の位置を調整して画像投影部１０９に投影させるようにする。
【００３３】
なお、画像投影部１０９は、操作キー群１３等を介した操作者からの指示に基づいて画像の投影を開始することができる。また、携帯型ゲーム機１０の使用中に、状態検知部１１１が移動速度等を検出しない場合には、使用状態が歩行等の移動中でないと判断して、画像投影部１０９による画像の投影を開始するようにしてもよい。あるいは、状態検知部１１１が画像撮影部１１０を通じて携帯型ゲーム機１０の周辺が暗いことを検知した場合に、画像投影部１０９による画像の投影を開始したり、操作者に対して投影に好適な状況にある旨の告知を行なうようにしてもよい。さらには、画像投影部１０９による画像の投影を行なう際に、画像撮影部１１０が携帯型ゲーム機１０の上方を撮影し、投影するための壁等が存在しているかどうかを確認するようにしたり、電源部１０４がバッテリを用いている場合においてバッテリの残量が少なくなってきた場合には画像投影部１０９による画像の投影を停止するようにすることができる。
【００３４】
図６は、画像表示部１０８、すなわち、カラー液晶表示装置１１に表示する画像と、画像投影部１０９で投影する画像との関係を示す図である。これらの画像の内容は、演算処理部１０１が実行しているプログラムにしたがって、画像入出力制御部１０２により制御される。
【００３５】
図６（ａ）は、画像表示部１０８に画像を表示させて、画像投影部１０９は投影を行なわない場合である。
図６（ｂ）は、画像表示部１０８が表示する画像と画像投影部１０９が投影する画像とが同じ場合である。本例では、携帯型ゲーム機１０におけるプレイ状況をギャラリー等に示すことができるが、この場合、ギャラリー向けの演出、例えば、画像処理、視点変更等を行なうことで一層効果的となる。なお、操作者は主としてカラー液晶表示装置１１の画面を見るようにする。
【００３６】
図６（ｃ）は、画像投影部１０９に画像を投影させて、画像表示部１０８は表示を行なわない場合である。本例では、操作者は、投影画像を見てプレイする。必要に応じてカラー液晶表示装置１１に各種情報を適宜表示させるようにしてもよい。
【００３７】
図６（ｄ）は、画像表示部１０８が表示する画像と画像投影部１０９が投影する画像とが異なる場合である。本例では、例えば、一方をゲームの主画面として用い、他方を情報表示用のサブ画面として用いることができる。この場合、操作者からの指示、ゲームプログラムからの指示に基づいてサブ画面を表示させることができる。操作者は、いずれの画面の見る必要があるため、状況に応じての画面のオンオフは行なわない。操作者は、投影画像が適正に見ることができるように各種調整を行なうことが望ましい。
【００３８】
これらの画像表示の状態は、周りの環境、操作者からの指示、ゲームプログラムからの指示に基づいて、相互に遷移することができる。
【００３９】
図７は、通信処理部１０５により複数台の携帯型ゲーム機１０を接続した場合の、画像表示および画像投影の一例を示している。本図の例では、３台の携帯型ゲーム機１０が接続され、それぞれの携帯型ゲーム機１０の画像表示部１０８には、それぞれの操作者用の表示Ａ〜Ｃがなされ、いずれか１台の携帯型ゲーム機１０の画像投影部１０９から全員に関する画像Ｄが投影されている。
【００４０】
全員に関する画像としては、例えば、各操作者のデータを集計した結果、ゲームの場面の全体表示等とすることができる。
【図面の簡単な説明】
【００４１】
【図１】携帯型ゲーム機の正面外観を示す図。
【図２】携帯型ゲーム機の上部外観を示す図。
【図３】映像を投影する機能を説明する図。
【図４】携帯型ゲーム機の機能構成の一例を示すブロック図。
【図５】画像入出力制御部による投影画像の制御について説明する図。
【図６】カラー液晶表示装置に表示する画像と、画像投影部で投影する画像との関係を示す図。
【図７】複数台の携帯型ゲーム機を接続した場合の、画像表示および画像投影の一例を示す図。
【符号の説明】
【００４２】
１０…携帯型ゲーム機
１１…カラー液晶表示装置
１２…メインスイッチ
１３…操作キー群
１５…投影口
１５ａ…投影レンズ
１６…入光口
１６ａ…撮影レンズ
３０…壁
１０１…演算処理部
１０２…画像入出力制御部
１０３…記憶部
１０４…電源部
１０５…通信処理部
１０６…メディアアクセス部
１０７…操作入力部
１０８…画像表示部
１０９…画像投影部
１１０…画像撮影部
１１１…状態検知部
【図１】
2005168892.tif 000003
【図２】
2005168892.tif 000004
【図３】
2005168892.tif 000005
【図４】
2005168892.tif 000006
【図５】
2005168892.tif 000007
【図６】
2005168892.tif 000008
【図７】
2005168892.tif 000009